(57)【要約】【課題】再利用者に忍びない印象を与えることなく、全く新しくなったという印象を与えて再利用可能な壁面墓所とカロートを提供することである。【解決手段】板状に形成された墓碑１０と、墓碑１０を支持する支持壁１２と、前記墓碑１０を支持壁１２に取り付ける取付部材２２と、を備えた壁面墓所であって、前記取付部材２２は、前記墓碑１０を前記支持壁１２に対して着脱可能に取り付けるよう構成されていることを特徴とする壁面墓所、及び上方が開口された納骨室を形成する第１カロート３４と、第１カロート３４を収納可能に上方が開口された第２カロート３６とを備え、前記第１カロート３４は、第２カロート３６に対して着脱可能に構成されていることを特徴とするカロート１６である。【選択図】            図２
2005048384.tif 000002
【特許請求の範囲】
【請求項１】
板状に形成された墓碑と、墓碑を支持する支持壁と、前記墓碑を支持壁に取り付ける取付部材と、を備えた壁面墓所であって、前記取付部材は、前記墓碑を前記支持壁に対して着脱可能に取り付けるよう構成されていることを特徴とする壁面墓所。
【請求項２】
墓碑の表面には、名板が設けられ、前記墓碑の名板が設けられる箇所には、前記取付部材が埋設可能な埋設孔が形成されていることを特徴とする請求項１記載の壁面墓所。
【請求項３】
前記墓碑の下方部前方の地上に敷設された拝石をさらに備え、前記墓碑下方部の前記拝石によって覆われる部分には、前記取付部材が埋設可能な埋設孔が形成されていることを特徴とする請求項１又は２記載の壁面墓所。
【請求項４】
前記取付部材は、支持壁と墓碑の間隔を調整することができるよう構成されていることを特徴とする請求項１乃至３いずれか記載の壁面墓所。
【請求項５】
前記取付部材は、墓碑の正面に向かって少なくとも左右一対設けられていることを特徴とする請求項４記載の壁面墓所。
【請求項６】
上方が開口された納骨室を形成する第１カロートと、該第１カロートを収納可能に上方が開口された第２カロートと、を備え、前記第１カロートは、第２カロートに対して着脱可能に構成されていることを特徴とするカロート。
【請求項７】
前記第１カロートは、底板と複数の側板とから構成されており、これら底板と複数の側板は、それぞれ各別に構成されていることを特徴とする請求項６記載のカロート。
【請求項８】
前記側板の裏面を前記第２カロートの内側に取り付ける取付部材をさらに備えたことを特徴とする請求項７記載のカロート。
【発明の詳細な説明】
【０００１】
【発明の属する技術分野】
本発明は、壁面墓所、及び納骨を収容する芝墓所・壁面墓所・集合個別型墓所・合葬墓所その他一般墓所のカロートに関する。
【０００２】
【従来の技術】
土地に対する人口比率が高いわが国においては、近年の高齢化社会と相まって、墓地不足が問題化している。このような状況のもと、壁面墓所は、墓地面積を有効に利用することができるので、近年、例えば地方公共団体などが運営する霊園などで多く利用されている。
【０００３】
壁面墓所は、図４及び５に示すように、板状に形成された墓碑５０と、断面Ｌ字状又は断面逆Ｔ字状に形成され、墓碑５０を支持する支持壁５２と、墓碑５０の下方部前方の地上に敷設された拝石５４と、拝石５４の下方の地中に設けられ、納骨を収容するカロート５６と、を備えており（特許文献１参照）、墓碑５０は、例えばセメントや接着剤などによって支持壁５２に固定されている。また、支持壁５２の各墓碑５０の間には、化粧版が張り付けられており、その上には屋根部５３が載置されている。この壁面墓所は、図４に示すように横方向に連続的に並列させて設けられており、これによって、墓地面積の有効利用を図っている。このように壁面墓所は、連続的に並列させて設けられているので、これらは、重機などを用いて同時に施工されることにより造られている。
【０００４】
ところで、近年、転居などを理由に墓所の売却を求める者が増加している。このような場合、カロートを含めた墓所を取り壊して一旦更地とした後、新しい墓所を造るということが考えられる。
【０００５】
【特許文献１】
特開平９−５３３４０号
【０００６】
【発明が解決しようとする課題】
しかしながら、壁面墓所を取り壊して新しいものに取り替えるにしても、上述のように壁面墓所は並列させて他の壁面墓所と一体となって形成されているので、一つの壁面墓所のみを新しいものに取り替えるのは、困難であり、またその作業には重機などを用いる必要があるため、作業スペースが少ない状況のもとでは不可能に近い。さらに、カロートにおいては、排水口５８と一体に設置されているため、その取替え作業が困難である。
【０００７】
一方、例えば名板のみを取り替えることにより、中古の壁面墓所を他の者に譲渡することも考えられるが、他人が使用したお墓に自分の遺族などの納骨を収めるというのは、忍びなく、再利用者が敬遠する傾向にある。
【０００８】
そこで、本発明は、再利用者に忍びない印象を与えることなく、全く新しくなったという印象を与えて再利用可能な壁面墓所とカロートを提供することを目的とする。
【０００９】
【課題を解決するための手段】
以上の目的を達成するため、本発明は、板状に形成された墓碑と、墓碑を支持する支持壁と、前記墓碑を支持壁に取り付ける取付部材と、を備えた壁面墓所であって、前記取付部材は、前記墓碑を前記支持壁に対して着脱可能に取り付けるよう構成されていることを特徴とする。
【００１０】
以上のように本発明に係る壁面墓所によれば、取付部材によって墓碑を支持壁に対して着脱可能に取り付けているので、再利用の際に拝石のみならず墓碑も取り替えることができるので、外見上は全く新しいものとなり、再利用者に全く新しくなったという印象を与え、忍びない印象を与えることは少ない。すなわち、従来の壁面墓所は、墓碑と支持壁がセメントや接着剤などによって一体的に固定されているので、墓碑のみを取り替えることは不可能に近かったが、本願発明のように構成することによって墓碑のみを取り替えることが可能となった。
【００１１】
本発明に係る壁面墓所において、墓碑の表面には、名板が設けられ、前記墓碑の名板が設けられた箇所には、前記取付部材が埋設可能な埋設孔が形成されていることが好ましく、このように墓碑の名板が設けられている箇所に、取付部材が埋設可能な埋設孔を形成することにより、取付部材を名板によって隠すことができるので、墓碑の外観を害することはない。この場合、埋設孔に埋設された取付部材は、墓碑の表面側からの操作により取付作業を行うことができるよう構成されていることが好ましい。
【００１２】
また、本発明に係る壁面墓所において、前記墓碑の下方部前方の地上に敷設された拝石をさらに備え、前記墓碑下方部の前記拝石によって覆われる部分には、前記取付部材が埋設可能な埋設孔が形成されていることが好ましく、このように墓碑下方部の前記拝石によって覆われる部分に取付部材が埋設可能な埋設孔を形成することにより、取付部材を拝石によって隠すことができるので、墓碑の外観を害することはない。この場合、埋設孔に埋設された取付部材は、墓碑の表面側からの操作により取付作業を行うことができるよう構成されていることが好ましい。
【００１３】
さらに、本発明に係る壁面墓所において、前記取付部材は、例えば、雄ねじ部と雌ねじ部などの締結部材を備え、これらの雄ねじ部を雌ねじ部に対して螺進又は螺退させることによって、支持壁と墓碑の間隔を調整することができるよう構成されていることが好ましく、このように雄ねじ部と雌ねじ部によって支持壁と墓碑の間隔を調整することによって、隣接する他の壁面墓所の墓碑の表面とレベルを容易に合わせることができる。この際、前記取付部材を墓碑の正面に向かって少なくとも左右一対設けることによって、墓碑の傾きも容易に調整することができる。
【００１４】
また、本発明は、上記目的を達成するために、上方が開口された納骨室を形成する第１カロートと、第１カロートを収納可能に上方が開口された第２カロートとを備え、前記第１カロートは、第２カロートに対して着脱可能に構成されていることを特徴とするカロートである。
【００１５】
このように第２カロートに対して納骨室を形成する第１カロートを着脱可能に構成されているので、第１カロートのみを取り替えることにより、外観上は、全く新しいカロートとすることができ、カロートの再利用者に忍びない印象を与えることなく、全く新しくなったという印象を与えてカロートの再利用を行うことができる。
【００１６】
本発明に係るカロートにおいて前記第１カロートは、底板と複数の側板とから構成されており、これら底板と複数の側板は、それぞれ各別に構成されていることが好ましく、このように別体の底板及び複数の側板で第１カロートを構成することにより、カロートの組立作業を容易にし、重機を用いずに第１カロートを組み立てることができる。すなわち、第１カロートを再施工する際には、その作業スペースが十分にないため、重機を用いることが困難であるが、本発明に係るカロートのようにそれぞれの部材を別体に構成することにより、それぞれの部材を軽量化することができ、手作業によっても第１カロートを組み立てることができる。この際、前記側板の裏面と前記第２カロートの内側を取り付ける取付部材をさらに備えていることが好ましく、このような取付部材を設けることにより、側板が倒れるのを防止することができる。
【００１７】
本発明に係るカロートは、壁面墓所の他、芝生墓所や日本の伝統的な墓所など様々な墓所に使用することができる。
【００１８】
【発明の実施の形態】
次に、本発明に係る壁面墓所及びカロートの実施例について図面に基づいて説明する。図１は、本実施例に係る複数の壁面墓所を並設させた図であり、図２は、図１のＩＩ−ＩＩ線に沿った断面図である。本実施例に係る壁面墓所は、図１及び２に示すように板状に形成された墓碑１０と、墓碑を支持する支持壁１２と、墓碑の下方部前方の地上に敷設された拝石１４と、を備えている。
【００１９】
支持壁１２は、図２に示すように断面逆Ｔ字状に形成されており、墓碑１０を左右両側に支持している。支持壁１２の下方側の約半分は、地中に設置されており、支持壁１２の断面逆Ｔ字を形成する底面１２Ａと地上の拝石１４の間には、納骨を収容するカロート１６が支持壁１２の左右両側に墓碑１０に対応させて設けられている。この支持壁１２の底面１２Ａには、後述するカロート１６の排水口４２、４４に整合させて設けられた排水口１８が形成され、カロート１６内の排水処理を容易にしている。なお、底面１２Ａの排水口１８は、後述するようにカロート１６の排水口４２、４４に整合させなくても良い。
【００２０】
墓碑１０の表面上方の中央部には、名板２０が設けられている。墓碑１０の名板２０が設けられている位置及び拝石１４によって覆われる部分には、墓碑１０を支持壁１２に取り付けて固定するためのねじ２２が埋設可能な埋設孔２４、２６が一対ずつ形成されている。これら埋設孔２４、２６は、墓碑１０の表面側の大径部２４Ａ、２６Ａと墓碑１０の裏面側の小径部２４Ｂ、２６Ｂとから構成されており、ねじ２２のねじ頭２２Ａが大径部２４Ａ、２６Ａと小径部２４Ｂ、２６Ｂの境界にできる段差に当接するよう構成されている。また、支持壁１２のこれら埋設孔２４、２６と整合する位置には、ねじ２２が螺合可能な雌ねじ部材２８が嵌め込まれている。したがって、ねじ２２によって墓碑１０を支持壁１２に固定することができ、またこのねじ２２を螺進又は螺退させることによって墓碑１０の表面を平行にする調整や、墓碑１０と支持壁１２の間隔を変えて隣接する他の壁面墓所の墓碑の表面に合わせる調整を行うことができる。なお、埋設孔２４、２６及びそれに整合された雌ねじ部材２８は、二対以上設けても良く、また埋設孔２４、２６には、ねじ２２を受ける受け金物を設けても良い。
【００２１】
墓碑１０の上縁と支持壁１２の上縁の隙間３０には、墓碑１０と支持壁１２の隙間に雨水など入らないように剥離が容易なシール材が注入される。また、墓碑１０と支持壁１２の上には、雨水等が溜まらない半円柱状に形成された屋根部材３２が載置されている。さらに、図１に示すように、支持壁１２の各墓碑１０の間には、墓碑１０と色の異なる化粧版が張り付けられており、その上には屋根部１３が載置されている。
【００２２】
拝石１４は、墓碑１０側の第１拝石１４Ａと手前側（墓碑１０から離れた側）の第２拝石１４Ｂに二分されており、それぞれの接合部分は、互いに重なり合うように段差１４Ｃが形成されている。第１拝石１４Ａの上には葬祭用具３３が設置されている。したがって、拝石１４の下方のカロート１６に納骨を収める場合は、第２拝石１４Ｂのみを開けることによって行われる。なお、第１拝石１４Ａと第２拝石１４Ｂの接合部分それぞれの重なりは上下逆であってもよく、段差１４Ｃを設けなくても良い。
【００２３】
カロート１６は、図２及び図３に示すように、上方が開口された納骨室を形成する第１カロート３４と、第１カロート３４を収納可能に上方が開口された第２カロート３６と、を備えている。第１カロート３４は、長方形状に形成された底板３４Ａと、４枚の前後及び左右の側板３４Ｂ、３４Ｃ、３４Ｄ、３４Ｅ（３４Ｃ及び３４Ｅは、寸法は異なるものの構造は３４Ｂ及び３４Ｄと同じなので図示を省略する）とから構成されている。図３に示すように４枚の側板３４Ｂ、３４Ｃ、３４Ｄ、３４Ｅの裏面には、それぞれ断面逆Ｌ字状のフック３８が設けられており、第２カロート３６の内面のフック３８と整合する位置には、フック３８と係合可能な断面Ｌ字状のフック４０が設けられている。したがって、これらフック３８とフック４０の係合により、側板３４Ｂ、３４Ｃ、３４Ｄ、３４Ｅを第２カロート３６の内面に取り付けることができ、側板３４Ｂ、３４Ｃ、３４Ｄ、３４Ｅが倒れるのを防止することができる。第２カロート３６の底面には、支持壁１２の底面１２Ａの排水口１８に整合する排水口４２が形成されており、第１カロート３４の底板３４Ａには、第２カロート３６の排水口４２に整合する排水口４４が形成されている。なお、支持壁１２の底面１２Ａの排水口１８は、カロート１６の排水口４２、４４に整合させなくても良く、例えば第１カロート３４の底板３４Ａ、第２カロート３６の底面及び支持壁１２の底面１２Ａを傾斜させて設けて、それぞれの最も低い位置に排水口１８、４２、４４を設けても良い。
【００２４】
【発明の効果】
以上のように本発明に係る壁面墓所及びカロートによれば、壁面墓所の表面部分とカロートの内面部分を取り替えることにより、外観上新しい壁面墓所及びカロートとすることができるので、再利用者に忍びない印象を与えずに、全く新しくなったという印象を与えて壁面墓所及びカロートの再利用を行うことができる。
【図面の簡単な説明】
【図１】本発明に係る壁面墓所の実施例の正面図である。
【図２】図１のＩＩ−ＩＩ線に沿った断面図である。
【図３】本発明に係るカロートの実施例の拡大断面図である。
【図４】従来の壁面墓所の正面図である。
【図５】図４のＶ−Ｖ線に沿った断面図である。
【符号の説明】
１０        墓碑
１２        支持壁
１６        カロート
２２        ねじ（取付部材）
３４        第１カロート
３６        第２カロート
【図１】
2005048384.tif 000003
【図２】
2005048384.tif 000004
【図３】
2005048384.tif 000005
【図４】
2005048384.tif 000006
【図５】
2005048384.tif 000007